(57)【要約】【課題】（電動ポンプを駆動する）モータの状態を正確に判別可能にすることが可能な電動ポンプを提供する。【解決手段】この電動ポンプ１００は、ポンプ２を駆動するモータ１と、ＥＣＵ１０からモータ１を駆動するための入力信号が入力され、上記入力信号に基づいて駆動部２に駆動信号を出力するとともに、ＥＣＵ１０にモータ１の回転状態を示すパルス信号Ｐを出力する制御部４と、を備える。そして、制御部４は、モータ１が駆動状態または停止状態であること、および、停止状態におけるモータ１の複数の状態を判別可能に、パルス信号Ｐの周波数およびデューティ比の両方を変化させるように構成されている。【選択図】図２
2019080382.tif 000002
【特許請求の範囲】
【請求項１】
ポンプを駆動するモータと、
外部装置から前記モータを駆動するための入力信号が入力され、前記入力信号に基づいて駆動信号を出力するとともに、前記外部装置に前記モータの回転状態を示すパルス信号を出力する制御部と、を備え、
前記制御部は、前記モータが駆動状態または停止状態であること、および、前記停止状態における前記モータの複数の状態を判別可能に、前記パルス信号の周波数およびデューティ比の両方を変化させるように構成されている、電動ポンプ。
【請求項２】
前記制御部は、前記モータが停止状態である場合に、前記パルス信号を所定の周波数に設定するとともに、前記モータが駆動状態である場合に、前記パルス信号を前記所定の周波数以外の周波数に設定するように構成されている、請求項１に記載の電動ポンプ。
【請求項３】
前記制御部は、前記モータが駆動状態である場合に、前記モータの回転数に応じて、前記パルス信号を前記所定の周波数とは異なる周波数範囲において可変に構成されている、請求項２に記載の電動ポンプ。
【請求項４】
前記制御部は、前記パルス信号の周波数およびデューティ比の両方を変化させるとともに、前記パルス信号の周波数の情報とデューティ比の情報とを組み合わせて１本の信号線を介して前記外部装置に出力するように構成されている、請求項１〜３のいずれか１項に記載の電動ポンプ。
【請求項５】
前記制御部は、前記モータが停止状態である場合に、前記パルス信号を所定の周波数に設定するとともに、断線により前記モータが通電状態でない場合に、前記パルス信号を前記所定の周波数以外の周波数に設定するように構成されている、請求項１〜４のいずれか１項に記載の電動ポンプ。
【請求項６】
前記モータを駆動する駆動部をさらに備え、
前記制御部は、前記モータが正常に停止している場合に、前記パルス信号のデューティ比を正常停止時デューティ比に設定するとともに、前記制御部に供給される電圧値が所定の範囲外の状態で前記モータが停止している第１の場合、前記駆動部の温度が第１閾温度以上の状態で前記モータが停止している第２の場合、前記駆動部の温度が第２閾温度以下の状態で前記モータが停止している第３の場合、および、前記制御部に供給される電圧値が前記所定の範囲内で、かつ、前記駆動部の温度が前記第１閾温度よりも小さく前記第２閾温度よりも大きい状態で前記モータが停止している第４の場合のそれぞれのデューティ比を、前記正常停止時デューティ比とは異なり、かつ、互いに異なるデューティ比に設定するように構成されている、請求項１〜５のいずれか１項に記載の電動ポンプ。
【発明の詳細な説明】
【技術分野】
【０００１】
本発明は、電動ポンプに関し、特に、モータの回転状態を示すパルス信号を出力する制御部を備える電動ポンプに関する。
【背景技術】
【０００２】
従来、モータの回転状態を示すパルス信号を出力する制御部を備える電動ポンプが知られている（たとえば、特許文献１参照）。
【０００３】
上記特許文献１に記載の電動ウォータポンプは、第１信号ラインおよび第２信号ラインにより電子制御ユニットに接続されている。電子制御ユニットは、第１信号ラインを介して、電動ウォータポンプに駆動制御信号を送信する。また、電子制御ユニットは、第２信号ラインを介して、電動ウォータポンプの回転数信号を受信する。また、電動ウォータポンプの吐出口の近傍にはサーミスタが設けられている。サーミスタがオンしている場合（サーミスタの検知温度が電動ウォータポンプの冷却媒体の凍結温度以下の場合）で、かつ、電動ウォータポンプの回転数が０の場合には、第２信号ラインを介して所定の閾電圧以上の高電位が保持された信号（回転数信号）が電子制御ユニットに送信される。
【０００４】
また、電子制御ユニットは、電動ウォータポンプの駆動時に、電動ウォータポンプの故障診断を実行する。具体的には、第２信号ラインを介して送信される回転数信号がパルス信号であるか否かが判定される。パルス信号であると判定された場合で、かつ、パルス信号の周波数が所定のパルス周波数閾値以上である場合には、電動ウォータポンプが正常に駆動していると判断される。また、パルス信号の周波数が所定のパルス周波数閾値よりも小さい場合には、電動ウォータポンプはロック故障（ポンプの機械的故障による停止）により停止していると判断される。
【０００５】
また、第２信号ラインを介して送信される回転数信号がパルス信号ではないと判定された場合で、かつ、回転数信号が上記所定の閾電圧以上に保持されている場合には、電動ウォータポンプは凍結により駆動できない状態であると判断される。すなわち、所定のパルス周波数閾値に対するパルス信号の周波数の大小（２値）、または、閾電圧値に対するパルス信号の電位の大小（２値）に基づいて、電動ウォータポンプが凍結により停止しているか、ロック故障により停止しているかが判別可能である。
【先行技術文献】
【特許文献】
【０００６】
【特許文献１】特開２０１７−４４１６７号公報
【発明の概要】
【発明が解決しようとする課題】
【０００７】
しかしながら、上記特許文献１の電動ウォータポンプでは、所定のパルス周波数閾値に対するパルス信号の周波数の大小（２値）、または、閾電圧値に対するパルス信号の電位の大小（２値）に基づいてモータの状態を判別可能に構成しているため、判別可能な電動ウォータポンプ（電動ウォータポンプを駆動するモータ）の状態数に限りがある。すなわち、周波数に基づく２つの状態と、電位に基づく２つの状態との最大４つの状態しか判別できない。この場合、電子制御ユニットは、電動ウォータポンプの状態を正確に判別することが困難になる場合があるという問題点がある。
【０００８】
この発明は、上記のような課題を解決するためになされたものであり、この発明の１つの目的は、（電動ポンプを駆動する）モータの状態を正確に判別可能にすることが可能な電動ポンプを提供することである。
【課題を解決するための手段】
【０００９】
上記目的を達成するために、この発明の一の局面における電動ポンプは、ポンプを駆動するモータと、外部装置からモータを駆動するための入力信号が入力され、入力信号に基づいて駆動信号を出力するとともに、外部装置にモータの回転状態を示すパルス信号を出力する制御部と、を備え、制御部は、モータが駆動状態または停止状態であること、および、停止状態におけるモータの複数の状態を判別可能に、パルス信号の周波数およびデューティ比の両方を変化させるように構成されている。
【００１０】
ここで、電圧の閾値（周波数の閾値）に対するパルス信号の電位（周波数）の大小（２値）に基づいてモータの状態を判別可能に構成する場合では、判別可能なモータの状態数に限りがある。これに対して、この発明の一の局面による電動ポンプでは、上記のように、パルス信号の周波数およびデューティ比の両方を変化させて、モータが駆動状態または停止状態であること、および、停止状態におけるモータの複数の状態を判別可能に構成することによって、それぞれの状態毎にデューティ比および周波数の各々を設定することができるので、判別可能な状態数を少なくとも５つ以上に容易に増加させることができる。その結果、モータの状態を正確に判別可能にすることができる。
【００１１】
上記一の局面による電動ポンプにおいて、好ましくは、制御部は、モータが停止状態である場合に、パルス信号を所定の周波数に設定するとともに、モータが駆動状態である場合に、パルス信号を所定の周波数以外の周波数に設定するように構成されている。
【００１２】
このように構成すれば、パルス信号の周波数に基づいて、制御部により、モータが停止状態か、または、駆動状態かの判別を容易に行うことができる。
【００１３】
この場合、好ましくは、制御部は、モータが駆動状態である場合に、モータの回転数に応じて、パルス信号を所定の周波数とは異なる周波数範囲において可変に構成されている。
【００１４】
このように構成すれば、モータが停止状態か、または、駆動状態かの判別に加えて、パルス信号の周波数に基づいて、制御部により、モータの駆動時の回転数の判別も行うことができる。
【００１５】
上記一の局面による電動ポンプにおいて、好ましくは、制御部は、パルス信号の周波数およびデューティ比の両方を変化させるとともに、パルス信号の周波数の情報とデューティ比の情報とを組み合わせて１本の信号線を介して外部装置に出力するように構成されている。
【００１６】
このように構成すれば、パルス信号の周波数の情報と、パルス信号のデューティ比の情報とを、１本の信号線により同時に外部装置に出力することができる。その結果、パルス信号の周波数の情報と、パルス信号のデューティ比の情報とを互いに別個の信号線により出力する場合に比べて、部品点数（信号線の本数）を低減することができる。
【００１７】
上記一の局面による電動ポンプにおいて、好ましくは、制御部は、モータが停止状態である場合に、パルス信号を所定の周波数に設定するとともに、断線によりモータが通電状態でない場合に、パルス信号を所定の周波数以外の周波数に設定するように構成されている。
【００１８】
このように構成すれば、モータが駆動状態または停止状態であること、および、停止状態における複数の状態の判別に加えて、モータの周波数に基づいて、制御部により、モータが停止状態か、または、断線状態かの判別も行うことができる。
【００１９】
上記一の局面による電動ポンプにおいて、好ましくは、モータを駆動する駆動部をさらに備え、制御部は、モータが正常に停止している場合に、パルス信号のデューティ比を正常停止時デューティ比に設定するとともに、制御部に供給される電圧値が所定の範囲外の状態でモータが停止している第１の場合、駆動部の温度が第１閾温度以上の状態でモータが停止している第２の場合、駆動部の温度が第２閾温度以下の状態でモータが停止している第３の場合、および、制御部に供給される電圧値が所定の範囲内で、かつ、モータの温度が第１閾温度よりも小さく第２閾温度よりも大きい状態でモータが停止している第４の場合のそれぞれのデューティ比を、正常停止時デューティ比とは異なり、かつ、互いに異なるデューティ比に設定するように構成されている。
【００２０】
このように構成すれば、パルス信号のデューティ比に基づいて、制御部により、モータが正常に停止しているか、または、異常停止（第１の場合、第２の場合、第３の場合、および、第４の場合）しているかの判別を行うことができる。また、モータが異常停止している場合に、それぞれの場合のデューティ比を異ならせていることによって、制御部により、異常停止の原因の判別も行うことができる。
【００２１】
なお、本出願では、上記一の局面による電動ポンプにおいて、以下のような構成も考えられる。
【００２２】
（付記項１）
すなわち、上記一の局面による電動ポンプにおいて、好ましくは、制御部は、モータが正常に駆動している場合に、パルス信号のデューティ比を正常駆動時デューティ比に設定するとともに、モータの回転数が所定の回転数以上の状態でモータが駆動している場合に、パルス信号のデューティ比を正常駆動時デューティ比とは異なるデューティ比に設定するように構成されている。
【００２３】
このように構成すれば、パルス信号のデューティ比に基づいて、制御部により、モータが正常に駆動しているか、または、異常駆動（モータが所定の回転数以上で回転）しているかの判別を行うことができる。
【００２４】
（付記項２）
また、上記断線時にパルス信号が所定の周波数以外の周波数に設定される電動ポンプにおいて、好ましくは、制御部は、断線によりモータが通電状態でない場合に、パルス信号の周波数を０Ｈｚにするとともに、パルス信号のデューティ比を０にするように構成されている。
【００２５】
このように構成すれば、断線が生じていない場合のパルス信号の周波数およびデューティ比が０以外の値になるように構成されている場合に、制御部により、断線が生じているか否かの判別を容易に行うことができる。
【図面の簡単な説明】
【００２６】
【図１】一実施形態による電動ポンプの全体構成を示す図である。
【図２】一実施形態による電動ポンプの停止時におけるパルス信号を説明するための図である。（図２（ａ）は、正常停止時のパルス信号の図である。図２（ｂ）は、電圧保護停止時のパルス信号の図である。図２（ｃ）は、過熱保護停止時のパルス信号の図である。図２（ｄ）は、負荷凍結による停止時のパルス信号の図である。図２（ｅ）は、ポンプロック時のパルス信号の図である。）
【図３】一実施形態による電動ポンプのモータの回転数とパルス信号の周波数との関係を説明するための図である。
【図４】一実施形態による電動ポンプの停止時におけるパルス信号を説明するための図である。（図４（ａ）は、正常駆動時のパルス信号の図である。図４（ｂ）は、異常駆動（空転）時のパルス信号の図である。）
【図５】一実施形態による電動ポンプの断線時におけるパルス信号を説明するための図である。
【発明を実施するための形態】
【００２７】
以下、本発明の実施形態を図面に基づいて説明する。
【００２８】
［実施形態］
図１〜図５を参照して、本実施形態による電動ポンプ１００の構成について説明する。
【００２９】
図１に示すように、電動ポンプ１００は、モータ１を備える。モータ１は、モータ１に接続されているポンプ２を駆動する。なお、電動ポンプ１００（ポンプ２）の用途は、たとえば、ウォータポンプ、オイルポンプ、および、バキュームポンプなどが考えられる。
【００３０】
電動ポンプ１００は、モータ１を駆動する駆動部３を備える。駆動部３は、複数の半導体スイッチング素子（図示せず）を含む。モータ１は、駆動部３からの３相交流電圧により駆動される。
【００３１】
また、電動ポンプ１００は、制御部４を備える。制御部４には、ＥＣＵ（エンジンコントロールユニット）１０からモータ１を駆動するための入力信号が入力される。そして、制御部４は、ＥＣＵ１０から入力された入力信号に基づいて、モータ１を駆動するための駆動信号を駆動部３に出力する。また、制御部４は、図示しないセンサにより、モータ１の回転状態を示す情報を受信する。そして、制御部４は、受信した回転状態の情報に基づいて、モータ１の回転状態を示すパルス信号Ｐ（図２参照）をＥＣＵ１０に出力する。なお、制御部４は、ソフトウェアにより構成されていてもよいし、ハードウェアにより構成されていてもよい。また、ＥＣＵ１０は、特許請求の範囲の「外部装置」の一例である。
【００３２】
また、電動ポンプ１００およびＥＣＵ１０の各々には、電源２０から電圧が供給されている。具体的には、電動ポンプ１００の駆動部３および制御部４の各々に、電源２０から電圧が供給されている。
【００３３】
ここで、本実施形態では、図２に示すように、制御部４（図１参照）は、モータ１（図１参照）が駆動状態または停止状態であること、および、停止状態におけるモータ１の複数の状態を判別可能に、パルス信号Ｐの周波数およびデューティ比の両方を変化させるように構成されている。具体的には、制御部４は、パルス信号Ｐの周波数の情報とデューティ比の情報とを組み合わせて、１つのパルス信号ＰとしてＥＣＵ１０（図１参照）に出力するように構成されている。すなわち、制御部４は、１本の通信線４ａ（図１参照）だけを用いて、パルス信号ＰをＥＣＵ１０に送信している。また、制御部４は、１つのパルス信号Ｐにおける周波数およびデューティ比を、それぞれ個別に変化（制御）可能に構成されている。なお、通信線４ａは、特許請求の範囲の「信号線」の一例である。
【００３４】
詳細には、制御部４は、モータ１が停止状態である場合には、パルス信号Ｐの周波数を４Ｈｚに設定する。また、制御部４は、後述する図２（ａ）〜（ｅ）に示すように、停止状態におけるモータ１の複数の状態に対応させて、パルス信号Ｐのデューティ比を変化させる。以下に、モータ１が停止状態である場合における、パルス信号Ｐの周波数およびデューティ比の制御の例を示す。なお、４Ｈｚは、特許請求の範囲の「所定の周波数」の一例である。
【００３５】
図２（ａ）に示すように、モータ１が正常に停止している場合には、制御部４は、パルス信号Ｐの周波数を４Ｈｚに設定するとともに、パルス信号Ｐのデューティ比を５０％に設定する。なお、この場合、ＥＣＵ１０から制御部４へ送信される入力信号はモータ１を停止させるための停止信号である。また、５０％は、特許性州の範囲の「正常停止時デューティ比」の一例である。
【００３６】
また、図２（ｂ）に示すように、モータ１が電圧保護停止状態である場合には、制御部４は、パルス信号Ｐの周波数を４Ｈｚに設定するとともに、パルス信号Ｐのデューティ比を３３％に設定する。なお、電圧保護停止状態とは、制御部４に供給される電圧値が、過剰に低いか、または、過剰に高い場合に、モータ１を停止させている状態である。
【００３７】
具体的には、制御部４は、電源２０（図１参照）から制御部４に供給される電圧値を検出する。そして、制御部４により検出された電圧値が所定の範囲（たとえば５Ｖ以上２０Ｖ以下）外の状態でモータ１が停止している場合に、制御部４は、パルス信号Ｐの周波数を４Ｈｚに設定するとともに、パルス信号Ｐのデューティ比を３３％に設定する。なお、図２（ｂ）、および、後述する図２（ｃ）〜（ｅ）の各々においては、ＥＣＵ１０から制御部４へ送信される入力信号はモータ１を駆動させるための駆動信号である。すなわち、これらの場合は、ＥＣＵ１０から駆動信号が入力されているにもかかわらず、モータ１が停止している場合である。なお、電圧保護停止状態である場合は、特許請求の範囲の「第１の場合」の一例である。
【００３８】
また、図２（ｃ）に示すように、モータ１が過熱保護停止状態である場合には、制御部４は、パルス信号Ｐの周波数を４Ｈｚに設定するとともに、パルス信号Ｐのデューティ比を８０％に設定する。なお、過熱保護停止状態とは、駆動部３の温度が過剰に高いために、モータ１を停止させている状態である。なお、モータ１が過熱保護停止状態である場合は、特許請求の範囲の「第２の場合」の一例である。
【００３９】
具体的には、駆動部３の近傍には、駆動部３の温度を検知するためのサーミスタ３ａが設けられている。サーミスタ３ａにより検知されたモータ１の温度情報は制御部４に送信される。詳細には、サーミスタ３ａの抵抗値（の変化）に基づいた駆動部３の温度情報が制御部４に送信される。そして、（サーミスタ３ａから送信された温度情報に基づいて検知された）駆動部３の温度が第１閾温度以上である状態でモータ１が停止している場合に、制御部４は、パルス信号Ｐの周波数を４Ｈｚに設定するとともに、パルス信号Ｐのデューティ比を８０％に設定する。
【００４０】
また、図２（ｄ）に示すように、モータ１が負荷凍結による停止状態である場合には、制御部４は、パルス信号Ｐの周波数を４Ｈｚに設定するとともに、パルス信号Ｐのデューティ比を２０％に設定する。負荷凍結による停止状態とは、温度が過剰に低いためにポンプ２が凍結し、モータ１（ポンプ２）が停止してしまっている状態である。なお、モータ１が負荷凍結による停止状態である場合は、特許請求の範囲の「第３の場合」の一例である。
【００４１】
具体的には、（サーミスタ３ａから送信された温度情報に基づいて検知された）駆動部３の温度が第２閾温度（たとえば、０度）以下である状態でモータ１が停止している場合に、制御部４は、パルス信号Ｐの周波数を４Ｈｚに設定するとともに、パルス信号Ｐのデューティ比を２０％に設定する。
【００４２】
また、図２（ｅ）に示すように、モータ１がポンプロックによる停止状態である場合には、制御部４は、パルス信号Ｐの周波数を４Ｈｚに設定するとともに、パルス信号Ｐのデューティ比を６７％に設定する。ポンプロックによる停止状態とは、ポンプ２の機械的故障により、モータ１（ポンプ２）が停止してしまっている状態である。なお、モータ１がポンプロックによる停止状態である場合は、特許請求の範囲の「第４の場合」の一例である。
【００４３】
具体的には、制御部４に供給される電圧値が上記所定の範囲内で、かつ、駆動部３の温度が上記第１閾温度よりも小さく上記第２閾温度よりも大きい状態でモータ１が停止している場合に、制御部４は、パルス信号Ｐの周波数を４Ｈｚに設定するとともに、パルス信号Ｐのデューティ比を６７％に設定する。
【００４４】
なお、図２（ａ）〜（ｅ）の各状態におけるデューティ比は、上記の値に限られない。モータ１が正常に停止している状態（図２（ａ）参照）のデューティ比と、モータ１が異常停止している状態（図２（ｂ）〜（ｅ）参照）のデューティ比とが互いに異なり、かつ、モータ１が異常停止している場合の各状態におけるデューティ比が互いに異なっていれば、上記の値以外の値であってもよい。
【００４５】
ここで、本実施形態では、図３に示すように、制御部４（図１参照）は、モータ１（図１参照）が駆動状態である場合に、パルス信号Ｐ（図４参照）を４Ｈｚ以外の周波数に設定するように構成されている。具体的には、制御部４は、モータ１が駆動状態である場合に、モータ１の回転数に応じて、パルス信号Ｐを４Ｈｚとは異なる周波数範囲において可変に構成されている。詳細には、モータ１の回転数が１６０ｒｐｍ以下の場合には、パルス信号Ｐの周波数は４Ｈｚに設定される。また、モータ１の回転数が１６０ｒｐｍよりも大きい場合には、モータ１の回転数が大きくなるにつれて、パルス信号Ｐの周波数は１次関数的に大きくなる。なお、本実施形態では、モータ１の回転数が１６０ｒｐｍ以下の場合にモータ１が停止状態であり、モータ１の回転数が１６０ｒｐｍよりも大きい場合にモータ１が駆動状態であるとする。以下に、モータ１が駆動状態である場合における、パルス信号Ｐの周波数およびデューティ比の制御の一例を示す。
【００４６】
本実施形態では、図４（ａ）に示すように、制御部４（図１参照）は、モータ１（図１参照）が正常に駆動している場合に、パルス信号Ｐのデューティ比を５０％に設定する。この場合、パルス信号Ｐの周波数は、モータ１の回転数に応じた周波数（図３参照）に設定されている。
【００４７】
また、図４（ｂ）に示すように、制御部４は、ポンプ２（図１参照）の空転によりモータ１が異常駆動状態である場合には、パルス信号Ｐのデューティ比を７０％に設定するように構成されている。具体的には、制御部４は、モータ１の回転数が所定の回転数以上の状態でモータ１が駆動（回転）している場合に、ポンプ２が空転していると判断して、パルス信号Ｐのデューティ比を７０％に設定する。なお、ポンプ２の空転とは、ポンプ２の内部に冷媒（たとえばウォータポンプにおける水）がない状態でポンプ２が駆動されている状態である。この場合、モータ１の回転数が設定値に対して過剰に大きくなる場合がある。
【００４８】
なお、図４（ａ）および（ｂ）の各状態におけるデューティ比は、上記の値に限られない。モータ１が正常に駆動している状態（図４（ａ）参照）のデューティ比と、モータ１が異常駆動している状態（図４（ｂ）参照）のデューティ比とが互いに異なっていれば、上記の値以外の値であってもよい。また、図４（ａ）および（ｂ）は概略図であり、互いの周波数の比率は、実際には、図示している状態とは異なる場合がある。
【００４９】
また、本実施形態では、図５に示すように、制御部４（図１参照）は、断線によりモータ１（図１参照）が通電状態でない場合に、パルス信号Ｐを４Ｈｚ以外の周波数に設定するように構成されている。具体的には、制御部４は、断線によりモータ１が通電状態でない場合に、パルス信号Ｐの周波数を０Ｈｚにするとともに、パルス信号Ｐのデューティ比を０にするように構成されている。なお、制御部４は、電源２０から制御部４に電圧が全く供給されていない場合、または、モータ１の回転状態を示す情報が制御部４に送信されていないと判断した場合などに、断線が生じていると判別する。
【００５０】
（本実施形態の効果）
本実施形態では、以下のような効果を得ることができる。
【００５１】
本実施形態では、上記のように、制御部４が、モータ１が駆動状態または停止状態であること、および、停止状態におけるモータ１の複数の状態を判別可能に、パルス信号Ｐの周波数およびデューティ比の両方を変化させるように、電動ポンプ１００を構成する。ここで、電圧の閾値（周波数の閾値）に対するパルス信号の電位（周波数）の大小（２値）に基づいてモータの状態を判別可能に構成する場合では、判別可能なモータの状態数に限りがある。これに対して、パルス信号Ｐの周波数およびデューティ比の両方を変化させて、モータ１が駆動状態または停止状態であること、および、停止状態におけるモータ１の複数の状態を判別可能に構成することによって、それぞれの状態毎にデューティ比および周波数の各々を設定することができるので、判別可能な状態数を少なくとも５つ以上に容易に増加させることができる。その結果、モータ１の状態を正確に判別可能にすることができる。
【００５２】
また、本実施形態では、上記のように、制御部４が、モータ１が停止状態である場合に、パルス信号Ｐを４Ｈｚに設定するとともに、モータ１が駆動状態である場合に、パルス信号Ｐを４Ｈｚ以外の周波数に設定するように、電動ポンプ１００を構成する。これにより、パルス信号Ｐの周波数に基づいて、制御部４により、モータ１が停止状態か、または、駆動状態かの判別を容易に行うことができる。
【００５３】
また、本実施形態では、上記のように、制御部４が、モータ１が駆動状態である場合に、モータ１の回転数に応じて、パルス信号Ｐを４Ｈｚとは異なる周波数範囲において可変にするように、電動ポンプ１００を構成する。これにより、モータ１が停止状態か、または、駆動状態かの判別に加えて、パルス信号Ｐの周波数に基づいて、制御部４により、モータ１の駆動時の回転数の判別も行うことができる。
【００５４】
また、本実施形態では、上記のように、制御部４が、パルス信号Ｐの周波数およびデューティ比の両方を変化させるとともに、パルス信号Ｐの周波数の情報とデューティ比の情報とを組み合わせて１本の通信線４ａを介してＥＣＵ１０に出力するように、電動ポンプ１００を構成する。これにより、パルス信号Ｐの周波数の情報と、パルス信号Ｐのデューティ比の情報とを、１本の通信線４ａにより同時にＥＣＵ１０に出力することができる。その結果、パルス信号Ｐの周波数の情報と、パルス信号Ｐのデューティ比の情報とを互いに別個の通信線により出力する場合に比べて、部品点数（通信線の本数）を低減することができる。
【００５５】
また、本実施形態では、上記のように、制御部４が、断線によりモータ１が通電状態でない場合に、パルス信号Ｐを４Ｈｚ以外の周波数に設定するように、電動ポンプ１００を構成する。これにより、モータ１が駆動状態または停止状態であること、および、停止状態における複数の状態の判別に加えて、モータ１の周波数に基づいて、制御部４により、モータ１が停止状態か、または、断線状態かの判別も行うことができる。
【００５６】
また、本実施形態では、上記のように、制御部４が、モータ１が正常に停止している場合に、パルス信号Ｐのデューティ比を５０％に設定するとともに、モータ１が電圧保護停止状態である場合、モータ１が過熱保護停止状態である場合、モータ１が負荷凍結による停止状態である場合、および、モータ１がポンプロックによる停止状態である場合のそれぞれのデューティ比を、５０％とは異なり、かつ、互いに異なるデューティ比に設定するように、電動ポンプ１００を構成する。これにより、パルス信号Ｐのデューティ比に基づいて、制御部４により、モータ１が正常に停止しているか、または、異常停止（電圧保護停止、過熱保護停止、負荷凍結による停止、および、ポンプロックによる停止）しているかの判別を行うことができる。また、モータ１が異常停止している場合に、それぞれの場合のデューティ比を異ならせていることによって、制御部４により、異常停止の原因の判別も行うことができる。
【００５７】
また、本実施形態では、上記のように、制御部４が、モータ１が正常に駆動している場合に、パルス信号Ｐのデューティ比を５０％に設定するとともに、モータ１の回転数が所定の回転数以上の状態でモータ１が駆動している場合に、パルス信号Ｐのデューティ比を７０％に設定するように、電動ポンプ１００を構成する。これにより、パルス信号Ｐのデューティ比に基づいて、制御部４により、モータ１が正常に駆動しているか、または、異常駆動（モータ１が所定の回転数以上で回転）しているかの判別を行うことができる。
【００５８】
また、本実施形態では、上記のように、制御部４が、断線によりモータ１が通電状態でない場合に、パルス信号Ｐの周波数を０Ｈｚにするとともに、パルス信号Ｐのデューティ比を０にするように、電動ポンプ１００を構成する。これにより、断線が生じていない場合のパルス信号Ｐの周波数およびデューティ比が０以外の値になるように構成されている場合に、制御部４により、断線が生じているか否かの判別を容易に行うことができる。
【００５９】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６０】
また、本実施形態では、モータが停止している場合におけるパルス信号の周波数と、モータが駆動している場合のパルス信号の周波数とを異ならせている例を示したが、本発明はこれに限られない。たとえば、それぞれの場合におけるパルス信号の周波数を異ならせることに加えて、それぞれの場合におけるパルス信号のデューティ比を異ならせてもよい。
【００６１】
また、本実施形態では、制御部は、断線時において、パルス信号の周波数を０Ｈｚに設定するとともに、パルス信号のデューティ比を０にする例を示したが、本発明はこれに限られない。たとえば、制御部は、断線時において、パルス信号の周波数を、０Ｈｚ以外の周波数で、かつ、所定の周波数（４Ｈｚ）以外の周波数に設定してもよい。また、この場合、パルス信号のデューティ比を、モータの停止時および駆動時のそれぞれにおけるデューティ比と異ならせてもよいし、それぞれにおけるデューティ比のうちのいずれかと等しくしてもよい。
【００６２】
また、本実施形態では、制御部は、センサにより、モータの回転状態を示す情報を受信している例を示したが、本発明はこれに限られない。たとえば、制御部が、センサを用いずに、モータの回転状態を示す情報を検知するように構成してもよい。
【００６３】
また、本実施形態では、サーミスタ（３ａ）が駆動部の近傍に配置され、駆動部の温度を検知する例を示したが、本発明はこれに限られない。たとえば、サーミスタ（３ａ）がポンプ（モータ）の近傍に配置され、ポンプ（モータ）の温度を検知するように構成してもよい。
【００６４】
また、本実施形態では、モータが停止している場合に、パルス信号の周波数を４Ｈｚにする例を示したが、本発明はこれに限られない。たとえば、パルス信号の周波数を４Ｈｚ以外の周波数に設定してもよい。
【００６５】
また、本実施形態では、モータの回転数が１６０ｒｐｍよりも大きい場合に、パルス信号の周波数がモータの回転数に応じて変化する例を示したが、本発明はこれに限られない。たとえば、モータの回転数が１６０ｒｐｍ以外の回転数（たとえば０ｒｐｍ）よりも大きい場合に、パルス信号の周波数をモータの回転数に応じて変化するように構成してもよい。
【００６６】
また、本実施形態では、正常停止状態、電圧保護停止状態、過熱保護停止状態、負荷凍結による停止状態、および、ポンプロックによる停止状態のそれぞれに対応して、パルス信号のデューティ比を変化させる例を示したが、本発明はこれに限られない。たとえば、上記５つの状態に加えて、他の要因によりモータが停止している場合に対応して、パルス信号のデューティ比を変化させるようにしてもよい。
【００６７】
また、本実施形態では、正常駆動状態および空転状態のそれそれに対応して、パルス信号のデューティ比を変化させる例を示したが、本発明はこれに限られない。たとえば、上記２つの状態に加えて、他の状態でモータが駆動している場合に対応して、パルス信号のデューティ比を変化させるようにしてもよい。
【符号の説明】
【００６８】
１  モータ
２  ポンプ
３  駆動部
４  制御部
４ａ  通信線（信号線）
１０  ＥＣＵ（外部装置）
１００  電動ポンプ
Ｐ  パルス信号
【図１】
2019080382.tif 000003
【図２】
2019080382.tif 000004
【図３】
2019080382.tif 000005
【図４】
2019080382.tif 000006
【図５】
2019080382.tif 000007